(57)【要約】【課題】使用者の個々の生活様式に最適な運転を行う事が出来、無駄なエネルギの消費を抑制した冷蔵庫を提供することを目的とする。【解決手段】温度設定及び予約を入力する入力部３と、入力部３で入力された内容を表示する表示部２と、時間帯別に設定された内容を記憶する設定記憶部６と、を備え、設定記憶部６で記憶された内容に基づき時間帯別に冷却運転を制御する。【選択図】  図１
2015007488.tif 000002
【特許請求の範囲】
【請求項１】
温度設定及び予約を入力する入力部と、前記入力部で入力された内容を表示する表示部と、時間帯別に設定された内容を記憶する設定記憶部と、を備え、前記設定記憶部で記憶された内容に基づき時間帯別に冷却運転を制御することを特徴とする冷蔵庫。
【請求項２】
温度設定及び予約を外部通信装置から受信する機能、又は設定内容を送信する機能の少なくともいずれかの機能を有する通信部と、前記受信した温度設定及び予約の内容を記憶する設定記憶部と、を備え、前記設定記憶部で記憶された内容に基づき時間帯別に冷却運転を制御することを特徴とする冷蔵庫。
【請求項３】
前記制御部は、予約した日時から前記設定記憶部で記憶された温度設定の内容で冷却運転制御を開始することを特徴とする、請求項１又は２に記載の冷蔵庫。
【請求項４】
前記制御部は、予約した日時から前記設定記憶部で記憶された製氷動作制御をすることを特徴とする、請求項１乃至３のいずれかに記載の冷蔵庫。
【発明の詳細な説明】
【技術分野】
【０００１】
本発明は、冷蔵庫に関する。
【背景技術】
【０００２】
本技術分野の背景技術として、特開２０１１−２０８９０７（特許文献１）がある。この公報の要約欄には、「冷蔵庫の設置環境の照度の変化を検知し、もしくは、冷蔵庫周辺の人の動きを判別できる人感センサを冷蔵庫の扉面に設置し、自動で節電運転を行うことで、使用者に手間をかけることなく、すなわち自動で省エネを実現することができ、より省エネルギを実現することが可能な冷蔵庫を提供することができる。」と記載されている。
【先行技術文献】
【特許文献】
【０００３】
【特許文献１】特開２０１１−２０８９０７号公報
【発明の概要】
【発明が解決しようとする課題】
【０００４】
特許文献１には照度の変化を検知すると記載されている。しかし、特許文献１では、使用者は昼の明るい時に冷蔵庫を使用し、夜の暗い時は就寝中なので冷蔵庫を使用しないと言うような前提がある。そのため、夜の暗い時に仕事をし、明け方に帰宅し就寝するような、昨今の様々な生活様式に対応する事が出来ない。
【０００５】
また、特許文献１には冷蔵庫周辺の人の動きを判別できる人感センサを冷蔵庫の扉面に設置と記載されている。しかし、人感センサで感知した人が、必ずしも冷蔵庫を使用するとは限らず、その場合、冷蔵庫を冷やす動作を行うのは、無駄なエネルギの消費となる事が考えられる。
【０００６】
また、節電モード切替手段（例えば、使用者が操作可能なスイッチ）を操作する事で節電設定となり、節電運転を行う冷蔵庫もあるが、毎日、節電モード切替手段を操作して、設定の有効／無効を行う事は、使用者にとって負担になったり、使用者が節電設定を忘れたりする事が考えられる。
【０００７】
そこで、本発明は、使用者の個々の生活様式に最適な運転を行う事が出来、無駄なエネルギの消費を抑制した冷蔵庫を提供することを目的とする。
【課題を解決するための手段】
【０００８】
上記目的を達成するため、本発明は、温度設定及び予約を入力する入力部と、前記入力部で入力された内容を表示する表示部と、時間帯別に設定された内容を記憶する設定記憶部と、を備え、前記設定記憶部で記憶された内容に基づき時間帯別に冷却運転を制御する。
【発明の効果】
【０００９】
以上のとおり、本発明によると、使用者の個々の生活様式に最適な運転を行う事が出来、無駄なエネルギの消費を抑制することができる。
【図面の簡単な説明】
【００１０】
【図１】本実施形態の冷蔵庫を示す正面図である。
【図２】本実施形態の冷蔵庫の電気回路概略図である。
【図３】本実施形態の動作を説明する時間別温度設定の表示例である。
【図４】本実施形態の動作を説明する数日後運転予約設定の表示例である。
【図５】本実施形態の動作を説明する自動製氷予約設定の表示例である。
【図６】本実施形態の動作を説明する冷蔵庫と外部通信装置との接続例である。
【発明を実施するための形態】
【００１１】
以下、本発明の実施形態を図面に基づいて説明する。図１は本実施形態の冷蔵庫を示す正面図である。図２は本実施形態の電気回路概略図である。図３は本実施形態の時間別温度設定の表示例である。図４は本実施形態の数日後運転予約設定の表示例である。図５は本実施形態の自動製氷予約設定の表示例である。図６は本実施形態の冷蔵庫と外部通信装置との接続例である。
【００１２】
冷蔵庫本体１は特に図示しないが外箱と内箱の間に断熱材を充填させた矩形箱状の断熱箱体内に、上段から順に、冷蔵室、製氷室、冷凍室、野菜室の各貯蔵室を有して構成されている。冷蔵室１０、製氷室１１、冷凍室１２、野菜室１３の各貯蔵室の前方に形成された開口には、それぞれ開閉する扉１０ａ、１１ａ、１２ａ、１３ａを備えている。冷蔵室１０の扉１０ａは、上部と下部がヒンジで支持された回転式の扉である。製氷室１１、冷凍室１２、野菜室１３の扉１１ａ、１２ａ、１３ａは、レールによって前後に移動する引出式の扉である。なお、貯蔵室及び扉の構成はこれに限定されるものではなく、例えば、図１における貯蔵室の上下左右の配置を変更したり、温度帯を変更したり、回転式の扉と引出式の扉を変更したり、あらゆる公知の冷蔵庫の形態を採用することが可能である。
【００１３】
冷蔵室１０の扉１０ａには、表示部２、入力部３、通信部４を設けている。
入力部３で入力された内容は制御装置５に伝えられ、制御装置５は入力された内容に従い、表示部３へ設定内容を表示し、設定された内容を設定記憶部６に記憶する。
【００１４】
また、冷蔵室１０の扉１０ａには、通信部４を有しており、外部通信装置１００で設定された内容を、通信部４でデータの送受信を行い制御部５に伝えられ、制御装置５は入力された内容を設定記憶部６に記憶する。
【００１５】
尚、表示部２、入力部３を冷蔵庫本体１に有しない構成の場合、設定入力、表示を、例えば携帯電話、スマートフォン、タブレット端末等の外部通信装置１００で直接行う事で機能は実現できるため、低コストでの実施も可能である（図６参照）。
【００１６】
次に、制御装置５は時刻管理部９から現在日時を取得し、設定記憶部６に記憶されている設定内容から、現在日時で指定されている温度設定情報（図３参照）、予約情報（図４参照）を見つけて、温度制御部７へ伝え、温度制御部７は伝えられた情報で、冷蔵庫の温度制御を行う。
【００１７】
図３は一般的な生活様式を例として記載しており、図３では、朝食は午前７時、全員が外出して無人となるのが、午前８時から午後４時、帰宅して買って来た食材を収納するのが午後４時、夕食を午後７時、就寝を午後１１時と仮定している。
【００１８】
前日の午後１１時から、朝食の準備が始まる午前６時までは就寝中であるため、ドアの開閉が無く、エネルギの消費を抑えるため、温度設定を弱とする。
【００１９】
朝食の支度が始まる午前６時から、食事中、後片付けまでを午前８時までとし、午前８時までは、ドアの開閉が行われて、庫内温度が上昇する事が考えられるので、食材の損傷を避ける為に、弱より強めの中とする。
【００２０】
朝食の後片付けが終わり、冷蔵庫内の食材が冷えた後の午前９時からは、ドアの開閉がない事が考えられ、エネルギの消費を抑えるため、温度設定を弱とする。
【００２１】
午後４時は買ってきた食材を冷蔵庫に格納するので、食材を格納する事で庫内温度の上昇が考えられ、温度設定を強とし速やかに食材を冷やす。
【００２２】
夕食と後片付けが終わり、食材が冷えるまでを午後９時とし、温度設定を強とするが、午後９時から就寝する午後１１時までは、冷えた飲料等が必要と考えられ、温度設定を強から中とする。
【００２３】
午後１１時からの就寝中は、ドアの開閉が無く、エネルギの消費を抑えるため、温度設定を弱とする。
【００２４】
図４は旅行の予定がある時の、数日後運転予約設定で、２０１３年１月２日から２０１３年１月６日までを旅行期間と仮定した時、旅行期間中は無人となり、ドアの開閉がなく、エネルギの消費を抑えるため、制御装置５は２０１３年１月２日から２０１３年１月６日の午前０時まで、温度設定を弱として温度制御部７に伝え、温度制御部７は伝えられた情報で運転を行う。制御装置５は２０１３年１月６日の午前０時以降、数日後運転予約設定は終了したと判断し、図３の時間別温度設定の内容を温度制御部７に伝え、温度制御部７は伝えられた情報で運転を行う。制御装置５は数日後運転予約設定が終了したと判断したら、数日後運転予約設定内容を削除する。
【００２５】
また、設定記憶部６には、自動製氷予約（図５参照）の内容も記憶されており、制御装置５は時刻管理部９から現在日時を取得し、設定記憶部６に記憶されている自動製氷予約（図５参照）の内容から、現在日時で指定されている予約内容を見つけて、自動製氷制御部８に伝え、自動製氷制御部８は伝えられた情報で、自動製氷の制御を行う。
【００２６】
図５の予約終了時動作設定は使用終了時間になった時の動作を指定する。指定出来る動作は自動製氷を停止させるか、停止させず運転を続けるかを指定出来る。使用開始設定は、氷を使用したい開始時間を指定する。制御装置５は使用開始時間までに、氷が満氷になるように、使用開始時間から製氷に必要な時間を逆算して、自動製氷制御部８に伝え、自動製氷制御部８は伝えられた情報で、自動製氷の制御を行う。使用終了設定は氷の使用を終了する時間を指定する。予約時間動作設定は、使用開始設定から使用終了設定の間の動作を指定する。指定出来る動作は急速製氷、通常製氷で、氷の消費が激しいと思われる時は急速製氷を指定する、氷の消費が余り激しくない時は、通常製氷を指定する事で、急速製氷よりは、省エネ動作を行う事が出来る。
【００２７】
以上より、本実施例の冷蔵庫によれば、温度設定及び予約を入力する入力部３と、入力部３で入力された内容を表示する表示部２と、時間帯別に設定された内容を記憶する設定記憶部６と、を備え、設定記憶部６で記憶された内容に基づき時間帯別に冷却運転を制御する。
【００２８】
これにより、使用者が庫内（冷凍室、冷蔵室、野菜室等）の温度を、時間毎に設定できたり、数日後の温度設定を予約できたりする。すなわち、使用者が自分の生活様式に合わせて、冷したい時間、節電したい時間を、時間帯別に設定する事により、毎日、設定された内容で運転したり、数日後には旅行の予定があったりするときは、予定にあわせた節電運転の予約が行える機能を備えた、使用者毎に最適な省エネ動作を行う、冷蔵庫を提供することができる。
【００２９】
なお、設定入力、表示を外部機器で行う事で、入力部、表示部を冷蔵庫本体が備える必要はない。
【符号の説明】
【００３０】
１  冷蔵庫本体、２  表示装置（表示部）、３  入力スイッチ（入力部）、４  通信部、５  制御装置、６  設定記憶装置（設定記憶部）、７  冷蔵庫温度制御装置、８  自動製氷制御装置、９  時刻管理装置、１００  外部通信装置
【図１】
2015007488.tif 000003
【図２】
2015007488.tif 000004
【図３】
2015007488.tif 000005
【図４】
2015007488.tif 000006
【図５】
2015007488.tif 000007
【図６】
2015007488.tif 000008